(57)【要約】【課題】省人力化を図ると共に表面を平坦に高精度に仕上げることを可能にしたコンクリート表面仕上げ機を提供することを目的とする。【解決手段】コンクリート表面仕上げ機１は、コンクリート表面と並行に振動してコンクリート４０を切りそろえる振動ブレード部材１０と、コンクリート表面を平坦に均すコテ部材２０とからなる。振動ブレード部材１０により表面側へモルタル層４３を形成せしめ、このモルタル層４３をコテ部材２０で平坦に均してコンクリート４０の表面を平らに成形する。【選択図】　　　　図１
2004137688.tif 000002
【特許請求の範囲】
【請求項１】
コンクリート表面と並行に振動してコンクリートを切りそろえる振動ブレード部材と、
前記コンクリート表面を平坦に均すコテ部材と、からなり、
前記振動ブレード部材により表面側へモルタル層を形成せしめ、該モルタル層を前記コテ部材で平坦に均して成形することを特徴とする、
コンクリート表面仕上げ機。
【発明の詳細な説明】
【０００１】
【発明の属する技術分野】
本発明は、コンクリート表面仕上げ機に関するものである。
【０００２】
【従来の技術】
従来のコンクリート表面仕上げは、作業者が定規、コテなどを用いて手作業で行なっているが（例えば特許文献１、２参照）、コンクリートフェイシングなど大量の仕上げ面積を有する施工の場合は、手作業仕上げでは精度を確保できない。
【０００３】
【特許文献１】
特開平９−４９３１４号公報（第２−３頁、図１）
【特許文献２】
特開２０００−１７８２７号公報（第２−３頁、図２）
【０００４】
【発明が解決しようとする課題】
＜イ＞コンクリートの層が厚い場合は、棒状バイブレータまたは定規などを使用して高さを揃え、その後、コテを用いて表面仕上げを行なっている。この方法による表面仕上げは、コンクリート打設後、何時間もかけて行なわれており、多大な労力を必要とする。
＜ロ＞水平面での仕上げ作業は比較的容易であるが、仕上げ面が斜面の場合は、バイブレータをかけるとコンクリートが下方にずれて孕み出しが起きる。このため、修正に手間がかかると共に平面性を確保するのが困難である。
【０００５】
【発明の目的】
本発明は上記したような従来の問題点に鑑みて考えられたもので、省人力化を図ると共に表面を平坦に高精度に仕上げることを可能にしたコンクリート表面仕上げ機を提供することを目的とする。
【０００６】
【課題を解決するための手段】
上記のような目的を達成するために、本発明のコンクリート表面仕上げ機は、コンクリート表面と並行に振動してコンクリートを切りそろえる振動ブレード部材と、前記コンクリート表面を平坦に均すコテ部材とからなり、前記振動ブレード部材により表面側へモルタル層を形成せしめ、該モルタル層を前記コテ部材で平坦に均して成形することを特徴とするものである。
【０００７】
【本発明の実施の形態】
以下、図面を参照しながら、本発明に係る実施の形態について説明する。
図１はコンクリート表面仕上げ機の概要を示し、図２は振動ブレード部材を示す。図３は振動モータの９０度毎の回転状態を示す。
【０００８】
＜イ＞コンクリート表面仕上げ機
コンクリート表面仕上げ機１は、振動ブレード部材１０と、コテ部材２０とからなる。
走行方向前方に振動ブレード部材１０を取り付け、後方にコテ部材２０を配置する。
振動ブレード部材１０により表面側へモルタル層４３を形成せしめ、このモルタル層４３を後方のコテ部材２０で平坦に均してコンクリート表面を平らに成形していく。
図示していないが、コンクリート表面仕上げ機１は、走行用の車輪（タイヤ）や駆動手段などが取り付けられて走行方向（矢印）に移動可能となっている。
【０００９】
＜ロ＞振動ブレード部材
振動ブレード部材１０は、ブレード１１と振動モータ１５とからなる。
ブレード１１は、先端に向けて下降傾斜したカッタ１２、基板１３及び取付板１４とからなる。基板１３から立ち上がった取付板１４に、振動モータ１５が取り付く。
振動モータ１５は、例えばモータの回転軸１６に扇形に形成した偏心ウエイト１７を取り付け、回転時に偏心ウエイト１７によって発生する遠心力を利用して振動を得るようにしたものを使用することができる。
本例では、２台の振動モータ１５を上下に並べて取付板１４に設置する。
偏心ウエイト１７が回転することによって、振動モータ１５は全方向に遠心力を発生するが、２台の振動モータ１５を上下に並べて配置しているので、互いに反対方向へ回転することによって図３に示すように作用する。
図３（Ａ）の状態では偏心ウエイト１７の遠心力Ｆ１、Ｆ２（Ｆ１＝Ｆ２）は打ち消しあってゼロとなり、図３（Ｂ）の状態では偏心ウエイト１７の遠心力Ｆ１、Ｆ２が同調して遠心力Ｆ１、Ｆ２を合わせた２倍の力となり、再び図３（Ｃ）の状態でゼロとなり、また図３（Ｄ）の状態で２倍の力になり、これを繰り返すことで振動モータ１５は左右方向（コンクリート表面と並行な方向）に振動する。
したがって、振動ブレード部材１０は、コンクリート表面と並行な左右方向へ振動する。
このため、カッタ１２がコンクリート４０の打ち込み面４１を平らに切り取りながら、振動する基板１３によって粒度の細かいモルタルを表面側へ移動せしめてモルタル層４３を形成する（図１参照）。
【００１０】
＜ハ＞コテ部材
コテ部材２０は前記モルタル層４３の表面を平滑に仕上げるもので、平板状に形成したコテ板２１からなる。
コテ板２１の下面がモルタル層４３の表面に接触する作用面２２である。なお、コテ板２１の先端部２３を円弧状に立ち上げており、表面に多少の凹凸があっても乗り上げることができる。
コテ部材２０は、振動ブレード部材１０と共に移動可能である。
コテ板２１の上面には、図示していないが、コテ板２１をモルタル層４３へ押し付ける流体シリンダなどの駆動手段が取り付けられてあり、振動ブレード部材１０で形成せしめたモルタル層４３を、コテ板２１の作用面２２で押し付けて平坦に均す。
【００１１】
次に、コンクリート表面仕上げ機１でコンクリート４０の表面を仕上げる場合について説明する。
【００１２】
＜イ＞コンクリート表面仕上げ機１の設置
打設したコンクリート４０の打ち込み面４１に、コンクリート表面仕上げ機１を設置する。
図示していないが、型枠などにセットされたレールに沿ってコンクリート表面仕上げ機１が走行する。
【００１３】
＜ロ＞稼動
振動モータ１５に電流を流す。
前記したように、２台の振動モータ１５が夫々反対方向へ回転することにより、振動モータ１５は左右方向に振動する。
また、コンクリート表面仕上げ機１がレールに沿って走行することで、振動ブレード部材１０は振動しながらコンクリート表面に沿って移動する。
移動中、先端のカッタ１２がコンクリート４０の打ち込み面４１を平らに切りそろえ、基板１３で振動を加えて表面側にモルタル層４３を形成する。モルタル層４３を形成する際、移動方向に微小な凹凸が残るが、この凹凸は振動ブレード部材１０の後方を移動するコテ部材２０により平坦に均される。
このように振動ブレード部材１０を稼動して打ち込み面４１を平らに成形し、後方のコテ部材２０で均して仕上げ面４２を形成し、打設されたコンクリート４０の表面を全体的に平坦に仕上げる。
【００１４】
なお、硬さや骨材の大きさなど仕上げるコンクリート表面の状態によって、移動速度を任意に調整する。また、ブレード１１の傾斜面に乗り上げたコンクリート４０は廃棄するか、打ち込み箇所に移動する。
仕上げる必要のあるコンクリート４０の全長に亘ってその表面の仕上げが終了したら、所定の時間だけ養生してコンクリート４０が固化するのを待つ。
以上はコンクリート４０が水平面の場合であるが、斜面の場合も同様にして仕上げることができる。
【００１５】
本発明のコンクリート表面仕上げ機１によれば、コンクリート４０の大量の仕上げ面積に対してその平面性を短時間で確保することができる。
また、水平面、斜面を問わず、打設されたコンクリート表面を機械で仕上げるため、従来のように人力で行なう場合と比較して過酷な労働を強いられたり、勘に頼ることがなく、表面全体を均一で平坦な仕上げ面とすることができると同時に仕上げ精度を大幅に向上することができる。
【００１６】
【本発明の効果】
本発明は、以上説明したようになるから次のような効果を得ることができる。＜イ＞水平面、斜面を問わず打設されたコンクリート表面を機械的に仕上げるものであるから、省人力化を図るとともに仕上げ精度を大幅に向上することができる。
＜ロ＞振動ブレード部材で表面側へモルタル層を形成せしめ、コテ部材で平坦に均していくものであるから、コンクリート表面全体を均一で平坦な仕上げ面とすることができる。
＜ハ＞振動ブレード部材はコンクリート表面と並行に振動するので、コンクリート内部への影響が少なく、斜面での施工においても所定の仕上げ面で成形を行なうことができる。
＜ニ＞コンクリート打設の段階で孕み出しが起こっても、簡単に修正し、成形を行なうことができる。
＜ホ＞コンクリートフェイシングなど大量の仕上げ面積を有する構造物に対しても、コテ均しを自動で行い、コンクリート表面の平面性を確保することができる。
【図面の簡単な説明】
【図１】コンクリート表面仕上げ機の概要を示す説明。
【図２】振動ブレード部材を示す説明図。
【図３】振動モータで振動を発生させる説明図で、（Ａ）、（Ｂ）、（Ｃ）、（Ｄ）は回転する振動モータの９０度毎の状態を示す図。
【符号の説明】
１・・・・コンクリート表面仕上げ機
１０・・・振動ブレード部材
１１・・・ブレード
１２・・・カッタ
１３・・・基板
１４・・・取付板
１５・・・振動モータ
１６・・・回転軸
１７・・・偏心ウエイト
２０・・・コテ部材
２１・・・コテ板
２２・・・作用面
２３・・・先端部
４０・・・コンクリート
４１・・・打ち込み面
４２・・・仕上げ面
４３・・・モルタル層
【図１】
2004137688.tif 000003
【図２】
2004137688.tif 000004
【図３】
2004137688.tif 000005